(57)【要約】【課題】着用者の呼吸に乾燥空気の吸入を最小化させ，息を吐くときにメガネが曇るのを防止できるマスクを提供する。【解決手段】鼻と口を覆う程の大きさのガーゼ（２）と，ガーゼ（２）の左右の両端に設置された，耳にかけるためのかけ紐（３）とで形成されたマスクであって，鼻と口とに対応するガーゼ（２）の内面に装着される補助布（４）と，ガーゼ（２）の内面と鼻部位の左右の両側と間に空間を維持しながら，息が集中する集中通路をガーゼ（２）内面に形成するように，補助布（４）の内部布（４ａ），外部布（４ｂ）間に，左右一対に対称配置され，固定される遮断部材（５）とを含むマスク。遮断部材（５）は，略”Ｌ”字状であることが望ましい。【選択図】　図２
0003097085.tif 000002
【実用新案登録請求の範囲】
【請求項１】
鼻と口を覆うガーゼと，前記ガーゼの左右の両端にそれぞれループ状に設置された，耳にかける１対のかけ紐とで形成されるマスクであって，
内部布と外部布とからなり，前記ガーゼの内面に装着される補助布と，
前記ガーゼの内面と鼻部位の左右両側との間に空間を保って，前記ガーゼ内面の鼻と口との間に息が集中する集中通路を形成するように，前記補助布の内部布と外部布と間に左右対称に配置され，固定される１対の遮断部材とを含むことを特徴とする，マスク。
【請求項２】
前記遮断部材の上部端は，鼻の左右両側と接するように水平節曲し，下部端は，唇の左右両側に近接するように垂直延長される，略Ｌ字状であることを特徴とする，請求項１に記載のマスク。
【請求項３】
前記遮断部材を配置する補助布は，前記ガーゼの内面に脱着可能に装着されたことを特徴とする，請求項１または２に記載のマスク。
【考案の詳細な説明】
【０００１】
【考案の属する技術分野】
本考案は，健康用マスクなどのマスクに関するものである。より詳細に説明すると，寒冷空気の流入通路を遮断，抑制する遮断部材を備え，寒冷空気の呼吸器内への流入を抑制し，呼吸時に発生する呼吸熱と湿気を保持する補助布を備えて，着用者が息を吸い込む時に呼吸器内に湿った空気の吸入を最大限に高めて，風邪症状に悪影響を及ぼす外部からの冷たく乾燥した空気の吸入を最小化させ，また，息を吐き出す時にはメガネ着用者のメガネが曇ることを防止するように改善したマスクに関するものである。
【０００２】
【従来の技術】
一般的に健康用などのマスクは，咳や風邪などの呼吸器疾患の患者が，外部の冷たく乾燥した寒冷空気の吸入や直接の接触を避けるために着用する。
【０００３】
このようなマスク（１０）は，図１に示したように，着用者の鼻と口とを同時に覆う程の大きさを持つ布部材で形成された略長方形のガーゼ（１１）と，着用者の耳にかけられるように，ガーゼ（１１）の左右両端にループ状に設置される１対のかけ紐（１３）等で構成される。図示していないが，布部材が内部布，外部布などの複数枚で構成されるとき，これらを重なるために所定のパターンで縫うこともある。風邪患者は，冷乾燥した空気よりは湿った空気を吸入することにより，風邪症状を好転させられる。
【０００４】
【考案が解決しようとする課題】
しかし，従来のマスク（１０）を風邪患者が着用する場合，着用者が空気を吸い込む時に，ガーゼ（１１）の内面と接する鼻と顔の左右両側との間に形成される空間である流入通路を通って外部の冷乾燥した空気が吸入され，マスクの機能が発揮できない短所があった。
【０００５】
また，メガネを着用する着用者の場合には，空気を吐き出す時にはガーゼ（１１）と鼻と顔の左右両側との間の空間に排気される呼吸熱により，メガネ表面が曇ってしまう問題点あった。
【０００６】
また，従来のガーゼ（１１）では，着用者が空気を吸い込むときに外部から吸入する乾燥した外気が，ガーゼ（１１）を構成する布部材を通過しながら湿った空気に転換される。着用者が空気を吐き出す時には，外部に排気される息と熱により，ある程度の湿度を保つのが望ましい。しかし，着用者が息を吐き出す時に発生する息と熱（呼吸熱）がガーゼ（１１）全体に分散して外部に排気されるため，ガーゼ（１１）自体の湿度を一定に維持することに限界があった。
【０００７】
本考案は，上記のような従来の問題点を解消するため提案されたものであって，その目的は，着用者が空気を吐き出す時に，口や鼻から排気される息を特定の通路に集中させ，マスクのガーゼが乾燥しないように湿度を常に維持する。そして，着用者が空気を吸い込むときに，冷乾燥した外部空気がそれ自体湿度を持つマスクのガーゼを通過して湿った空気に転換されて，それを吸入できるマスクを提供することにある。
【０００８】
【課題を解決するための手段】
上記目的を達成するための本考案のマスクは，鼻と口を覆うガーゼと，ガーゼの左右の両端にそれぞれループ状に設置された，耳にかける１対のかけ紐とで形成されるマスクであって，内部布と外部布とからなり，ガーゼの内面に装着される補助布と，ガーゼの内面と鼻部位の左右両側との間に空間を保ちながら，ガーゼ内面の鼻と口との間に息が集中する集中通路を形成するように，補助布の内部布と外部布と間に左右対称に配置され，固定される１対の遮断部材とを含むことを特徴とする。
【０００９】
上記遮断部材の上部端は，鼻の左右両側と接するように水平節曲し，下部端は，唇の左右両側に近接するように垂直延長される，略Ｌ字状であることが好ましい。
【００１０】
また，遮断部材を有する補助布は，ガーゼの内面に脱着可能にガーゼに装着されることが好ましい。
【００１１】
【考案の実施の形態】
以下に，本考案の実施の形態を図面を用いて説明する。なお，本明細書及び図面において，実質的に同一の機能構成を有する構成要素については，同一の符号を付することにより重複説明を省略する。図２は，本実施の形態によるマスクの外観図であり，図３は，本実施の形態によるマスクを図示した分解斜視図であり，図４は，本実施の形態によるマスクの着用状態図である。
【００１２】
本実施の形態のマスク（１）は，図２〜図４に示した通り，例えば風邪患者などが外部の冷乾燥した寒冷空気との直接の接触を最大限防止するための，顔の一部を覆うように構成された衛生消耗品である。そして，このようなマスク（１）は，ガーゼ（２），１対のかけ紐（３），補助布（４），及び遮断部材（５）を含んで構成される。
【００１３】
すなわち，ガーゼ（２）は，着用者が呼吸すると，外部空気が外部から吸入され，息と熱の呼吸熱が外部に排気される，鼻と口を覆う程の大きさを持つ略長方形の布部材で構成される。そして，ガーゼ（２）の左右の両側端には，着用者の着用時の耳に容易にかけられるようにかけ紐（３）が各々設置される。
【００１４】
そして，補助布（４）は，覆う鼻と口とに互いに対応されるガーゼ（２）の内面に一体で装着される。補助布（４）は，内部布（４ａ）と外部布（４ｂ）とが互いに重ねられて縫われた布部材である。ここで，補助布（４）は，ガーゼ（２）と同じ布素材で構成されてもよく，息と熱の内外部通過が容易で，保湿および保温が優れた布素材で形成されることが望ましい。
【００１５】
また，補助布（４）には鼻を中心にして，左右一対で互いに対称配置される，略”Ｌ”字状の遮断部材（５）を備える。そして，遮断部材（５）はガーゼ（２）の内面と鼻部位の左右両側との間に形成される空間を満たしながら，息と鼻息とが集中する集中通路を形成するように，補助布（４）の内部布（４ａ），外部布（４ｂ）の間に固定設置される。このとき，遮断部材（５）は，内外部布（４ａ）（４ｂ）の間で流動しないように，補助布（４）を縫い込むのが望ましい。
【００１６】
このような遮断部材（５）の上部端は，鼻の左右両側に接するように水平節曲され，下部端は，唇の左右両側に近接するように垂直延長される，略”Ｌ”字の断面形状になるのが望ましい。また，遮断部材（５）は，軟らかくて軽く収縮変形が容易で，弾力性のある，例えばスポンジなどのような素材で構成されることが望ましい。
【００１７】
また，遮断部材（５）を持つ補助布（４）は，ガーゼ（２）の内面に着脱可能に容易に装着できるように，例えば全面の左右両側に，例えばベルクロテープなどのようなマジックテープ（登録商標）を利用して，ガーゼ（２）に固定しても良い。
【００１８】
そして，ガーゼ（２）の内面に形成される集中通路は，着用者が空気を吐き出す時に発生する息と鼻息が通過する部位と，着用者が空気を吸い込む時に外部から空気が吸入される部位とが互いに一致するように，鼻と口との間に該当するガーゼ内面に取り揃えることが望ましい。
【００１９】
上記で詳述したような構成を持つ本考案の作用および効果に対して説明する。本考案のマスク（１）を風邪患者が着用する場合，マスク（１）を構成するガーゼ（２）の内面には，風邪患者の鼻と口とに対応する部位に，内部布，外部布（４ａ）（４ｂ）で形成された補助布（４）が用意される。そして，これら内部布，外部布（４ａ）（４ｂ）の間には，ガーゼ（２）の内面と鼻部位の左右両側間に形成される空間を満たしながら，息と鼻息とが集中する集中通路を形成するように，左右一対の遮断部材（５）が設置される。
【００２０】
このような状態で着用者が空気を吹き出すと，口や鼻から出る息の呼吸熱は，遮断部材（５）により，上部や側方から流出せず，鼻と口との間のガーゼの集中通路を通じて外部に排気される。この時，ガーゼ（２）を貫通して外部に排気される息と鼻息に含まれた湿気および熱によって，ガーゼ（２）の集中通路に対応する布部材は，大気温度よりも高い温度を持ちながら，湿気によってマスクの着用の間，保湿，保温状態を維持することができる。
【００２１】
一方，着用者が空気を吸い込むときには，外部から外気がガーゼの集中通路を通って口や鼻に吸入される。この時，外部からの外気吸入は，反復的な息によって保温および保湿状態を維持している集中通路を通じて行われる。このため，風邪発生の原因となり，風邪患者との直接の接触で悪影響を及ぼす冷乾燥した空気を，暖かくて湿っぽい空気に転換させる。そして，着用者の口や鼻を通して，呼吸器内に吸入される。これに伴い，風邪患者の病気が悪化するのを防止し，好転させる。
【００２２】
また，メガネをかけた患者が冬季にマスク（１）を着用する場合，空気を吐き出す時に，外部に排気される熱い息や鼻息が，ガーゼ（２）内面に配置された遮断部材（５）によって，上部から流出されずに大部分が集中通路を通過する。このため，熱い息や鼻息によりメガネの表面が曇るのを防止し，メガネ着用者が不便なくマスクを着用することができる。
【００２３】
また，ガーゼ（２）と顔全面に間に配置されて集中通路を形成する遮断部材（５）が，軟らかくて軽い弾力性のある素材で形成されていれば，着用者のマスク着用時に弾力性があり，ガーゼ（２）の左右両側に装着されたかけ紐（３）と，これをかける両耳との間にも弾力性を与えることになる。これにより，かけ紐（３）に押さえられることによる両耳の痛みを防止し，マスク着用者の着用感をより向上させられる。
【００２４】
以上詳述したように，本実施の形態によると，着用者の鼻と口を覆うマスクガーゼの内面に，呼吸時に空気が集中して通過する集中通路を形成するように遮断部材を備えたことにより，着用者が空気を吐き出す時に発生する呼吸熱の湿気と熱により，集中通路が湿度および温度を維持する。このため，風邪発生の原因になる外部の冷乾燥した空気が集中通路を通過しながら暖かく，かつ，湿っぽい空気に転換され，風邪発生および風邪患者の病勢の悪化を防止することができる。
【００２５】
また，メガネの着用時に，暖かい息や鼻息がマスク上部に流出しないため，メガネの表面が曇るのを防止し，メガネ着用者が不便なくマスクを着用できる。さらに，軽くて軟らかい弾力性のある素材で形成された遮断部材によれば，かけ紐と両耳との間に弾力性を与え，かけ紐の押さえによる両耳の痛みを防止でき，マスク着用者の着用感をより向上させる効果がある。
【００２６】
以上，添付図面を参照しながら本考案のマスクの好適な実施の形態について説明したが，本考案はこれらの例に限定されない。いわゆる当業者であれば，実用新案登録請求の範囲に記載された技術的思想の範疇内において各種の変更例または修正例に想到し得ることは明らかであり，それらについても当然に本考案の技術的範囲に属するものと了解される。
【００２７】
【考案の効果】
本考案により，着用者が空気を吐き出す時に，口や鼻から排気される息を特定の通路に集中させ，マスクのガーゼが乾燥しないように湿度を常に維持する。そして，着用者が空気を吸い込むときに，冷乾燥した外部空気がそれ自体湿度を持つマスクのガーゼを通過して湿った空気に転換されて，それを吸入できるマスクが提供できた。
【図面の簡単な説明】
【図１】図１は，一般的な健康用マスクを図示した斜視図である。
【図２】図２は，本実施の形態による健康用マスクの外観図である。
【図３】図３は，本実施の形態による健康用マスクを図示した分解斜視図である。
【図４】図４は，本実施の形態による健康用マスクの着用状態図である。
【符号の説明】
１：　マスク
２：　ガーゼ
３：　かけ紐
４：　補助布
４ａ：内部布，４ｂ：外部布
５：　遮断部材
【図１】
0003097085.tif 000003
【図２】
0003097085.tif 000004
【図３】
0003097085.tif 000005
【図４】
0003097085.tif 000006